【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
製造したコークスを押出機で排出して操業するコークス炉の炭化室の側壁面の状態を評価するコークス炉の壁面評価装置であって、
前記炭化室の側壁面の画像信号に基づいて、前記炭化室の側壁面に生じている凹凸に関わる凹凸情報を導出する凹凸情報導出手段と、
前記凹凸情報導出手段により導出された凹凸情報に基づいて、前記炭化室の側壁面における、コークスの押出方向に対する勾配に関わる勾配情報を導出する勾配情報導出手段と、
前記勾配情報導出手段により導出された勾配情報を用いて、コークスが押出時に受ける抵抗を指標化した抵抗指標を導出する指標化手段とを有することを特徴とするコークス炉の壁面評価装置。
【請求項２】
前記凹凸情報導出手段は、前記凹凸に関わる凹凸情報を、前記炭化室の側壁面に対して予め設定された所定の距離間隔の複数の領域毎に導出し、
前記勾配情報導出手段は、前記勾配情報を、前記複数の領域毎に導出し、
前記指標化手段は、前記炭化室の側壁面における、前記コークスの押出方向に対する登り勾配から、コークスが押出時に受ける前記複数の領域毎の局所的な抵抗を指標化した局所抵抗指標を導出し、導出した局所抵抗指標を集計して、前記炭化室の側壁面全体における前記抵抗指標を導出することを特徴とする請求項１に記載のコークス炉の壁面評価装置。
【請求項３】
前記凹凸情報導出手段は、前記複数の領域のうち、前記炭化室の一方の側壁面と他方の側壁面との互いに対向する領域に生じている凹凸の量を合算して凹凸情報を導出し、
前記勾配情報導出手段は、前記凹凸情報導出手段により合算された凹凸情報を用いて、前記勾配情報を導出することを特徴とする請求項２に記載のコークス炉の壁面評価装置。
【請求項４】
前記勾配情報は、前記炭化室の側壁面に生じている、コークスの押出方向で互いに隣接する前記領域間の凹凸の段差に関する情報を含み、
前記指標化手段は、前記隣接する領域の凹凸の段差を累乗した値を用いて、前記領域における局所抵抗指標を導出することを特徴とする請求項２又は３に記載のコークス炉の壁面評価装置。
【請求項５】
前記勾配情報は、前記炭化室の側壁面に生じている、コークスの押出方向で互いに隣接する前記領域間の凹凸の段差に関する情報を含み、
前記指標化手段は、前記隣接する領域の局所抵抗指標を定数倍した値を用いて、前記領域における前記局所抵抗指標を導出することを特徴とする請求項２〜４の何れか１項に記載のコークス炉の壁面評価装置。
【請求項６】
前記指標化手段は、前記複数の領域のうち、前記コークスの押出方向に対する登り勾配が閾値以下の領域については、前記コークスが押出時に受ける抵抗がないものとして、前記局所抵抗指標を導出することを特徴とする請求項２〜５の何れか１項に記載のコークス炉の壁面評価装置。
【請求項７】
前記指標化手段は、前記領域の前記炭化室の奥行方向の位置に依存した重みづけを行い、前記局所抵抗指標を導出することを特徴とする請求項２〜６の何れか１項に記載のコークス炉の壁面評価装置。
【請求項８】
前記指標化手段は、前記領域の前記炭化室の側壁面の高さ方向の位置に依存した重みづけを行い、前記局所抵抗指標を導出することを特徴とする請求項２〜７の何れか１項に記載のコークス炉の壁面評価装置。
【請求項９】
製造したコークスを押出機で排出して操業するコークス炉の炭化室の側壁面の状態を評価するコークス炉の壁面評価方法であって、
前記炭化室の側壁面の画像信号に基づいて、前記炭化室の側壁面に生じている凹凸に関わる凹凸情報を導出する凹凸情報導出ステップと、
前記凹凸情報導出ステップにより導出された凹凸情報に基づいて、前記炭化室の側壁面における、コークスの押出方向に対する勾配に関わる勾配情報を導出する勾配情報導出ステップと、
前記勾配情報導出ステップにより導出された勾配情報を用いて、コークスが押出時に受ける抵抗を指標化した抵抗指標を導出する指標化ステップとを有することを特徴とするコークス炉の壁面評価方法。
【請求項１０】
前記凹凸情報導出ステップは、前記凹凸に関わる凹凸情報を、前記炭化室の側壁面に対して予め設定された所定の距離間隔の複数の領域毎に導出し、
前記勾配情報導出ステップは、前記勾配情報を、前記複数の領域毎に導出し、
前記指標化ステップは、前記炭化室の側壁面における、前記コークスの押出方向に対する登り勾配から、コークスが押出時に受ける前記複数の領域毎の局所的な抵抗を指標化した局所抵抗指標を導出し、導出した局所抵抗指標を集計して、前記炭化室の側壁面全体における前記抵抗指標を導出することを特徴とする請求項９に記載のコークス炉の壁面評価方法。
【請求項１１】
前記凹凸情報導出ステップは、前記複数の領域のうち、前記炭化室の一方の側壁面と他方の側壁面との互いに対向する領域に生じている凹凸の量を合算して凹凸情報を導出し、
前記勾配情報導出ステップは、前記凹凸情報導出ステップにより合算された凹凸情報を用いて、前記勾配情報を導出することを特徴とする請求項１０に記載のコークス炉の壁面評価方法。
【請求項１２】
前記勾配情報は、前記炭化室の側壁面に生じている、コークスの押出方向で互いに隣接する前記領域間の凹凸の段差に関する情報を含み、
前記指標化ステップは、前記隣接する領域の凹凸の段差を累乗した値を用いて、前記領域における前記局所抵抗指標を導出することを特徴とする請求項１０又は１１に記載のコークス炉の壁面評価方法。
【請求項１３】
前記勾配情報は、前記炭化室の側壁面に生じている、コークスの押出方向で互いに隣接する前記領域間の凹凸の段差の情報であり、
前記指標化ステップは、前記隣接する領域の局所抵抗指標を定数倍した値を用いて、前記領域における局所抵抗指標を導出することを特徴とする請求項１０〜１２の何れか１項に記載のコークス炉の壁面評価方法。
【請求項１４】
前記指標化ステップは、前記複数の領域のうち、前記コークスの押出方向に対する登り勾配が閾値以下の領域については、前記コークスが押出時に受ける抵抗がないものとして、前記局所抵抗指標を導出することを特徴とする請求項１０〜１３の何れか１項に記載のコークス炉の壁面評価方法。
【請求項１５】
前記指標化ステップは、前記領域の前記炭化室の奥行方向の位置に依存した重みづけを行い、前記局所抵抗指標を導出することを特徴とする請求項１０〜１４の何れか１項に記載のコークス炉の壁面評価方法。
【請求項１６】
前記指標化ステップは、前記領域の前記炭化室の側壁面の高さ方向の位置に依存した重みづけを行い、前記局所抵抗指標を導出することを特徴とする請求項１０〜１５の何れか１項に記載のコークス炉の壁面評価方法。
【請求項１７】
製造したコークスを押出機で排出して操業するコークス炉の炭化室の側壁面の状態を評価するための処理をコンピュータに実行させるためのコンピュータプログラムであって、
前記炭化室の側壁面の画像信号に基づいて、前記炭化室の側壁面に生じている凹凸に関わる凹凸情報を導出する凹凸情報導出ステップと、
前記凹凸情報導出ステップにより導出された凹凸情報に基づいて、前記炭化室の側壁面における、コークスの押出方向に対する勾配に関わる勾配情報を導出する勾配情報導出ステップと、
前記勾配情報導出ステップにより導出された勾配情報を用いて、コークスが押出時に受ける抵抗を指標化した抵抗指標を導出する指標化ステップとをコンピュータに実行させることを特徴とするコンピュータプログラム。
【手続補正２】
【補正対象書類名】明細書
【補正対象項目名】０００２
【補正方法】変更
【補正の内容】
【０００２】
石炭を乾留してコークスを生成するためのコークス炉は、耐火レンガ等で形成された炉壁を介して、多数の炭化室と燃焼室とが交互に配置されて構成される。このようなコークス炉でコークスを生成する場合には、まず、炭化室の頂部にある石炭装入口から石炭を装入する。そして、ガスを燃やすことにより燃焼室で発生した熱によって、１０００℃以上の高温を凡そ２０時間、炭化室内の石炭に加える。これにより石炭が乾留され、コークスケーキ（以下、単にコークスと称する）が製造される。コークスが製造されると、炭化室の両端にある扉を開けて、炭化室の側方から押出機によりコークスを押し出し、コークスを炭化室から取り出す。このようにしてコークスを製造するための炭化室は、例えば、長さが１６ｍ、高さが６ｍ、幅が０．４ｍ程度の大きさを有しており、長さと高さに比較して幅が狭い構造を有しているのが特徴である。
【手続補正３】
【補正対象書類名】明細書
【補正対象項目名】０００３
【補正方法】変更
【補正の内容】
【０００３】
長年連続的に稼動しているコークス炉では、炭化室の炉壁に損傷が発生することがある。したがって、炭化室の炉壁の状態を把握することは、炭化室の損傷による操業の中断や遅滞等によってコークスの生産能力を低下させないようにするという観点から、極めて重要である（以下では、炭化室の炉壁を、必要に応じて炉壁と略称する）。
炉壁の状態を診断する従来の技術として、特許文献１に記載の技術がある。かかる技術では、まず、炭化室のある高さにおいて、炉壁間の距離を測定し、測定した結果から、炭化室の奥行方向の距離と、炉壁間の距離との関係を表す実測距離変位線を求め、更に、求めた実測距離変位線をスムージング化した平準化変位線を求める。そして、これら実測距離変位線と平準化変位線とによって囲まれた部分の面積の総和を求め、求めた面積から、炉壁の状態を診断する。
【手続補正４】
【補正対象書類名】明細書
【補正対象項目名】０００９
【補正方法】変更
【補正の内容】
【０００９】
本発明のコークス炉の壁面評価装置は、製造したコークスを押出機で排出して操業するコークス炉の炭化室の側壁面の状態を評価するコークス炉の壁面評価装置であって、前記炭化室の側壁面の画像信号に基づいて、前記炭化室の側壁面に生じている凹凸に関わる凹凸情報を導出する凹凸情報導出手段と、前記凹凸情報導出手段により導出された凹凸情報に基づいて、前記炭化室の側壁面における、コークスの押出方向に対する勾配に関わる勾配情報を導出する勾配情報導出手段と、前記勾配情報導出手段により導出された勾配情報を用いて、コークスが押出時に受ける抵抗を指標化した抵抗指標を導出する指標化手段とを有することを特徴とする。
【手続補正５】
【補正対象書類名】明細書
【補正対象項目名】００１０
【補正方法】変更
【補正の内容】
【００１０】
本発明のコークス炉の壁面評価方法は、製造したコークスを押出機で排出して操業するコークス炉の炭化室の側壁面の状態を評価するコークス炉の壁面評価方法であって、前記炭化室の側壁面の画像信号に基づいて、前記炭化室の側壁面に生じている凹凸に関わる凹凸情報を導出する凹凸情報導出ステップと、前記凹凸情報導出ステップにより導出された凹凸情報に基づいて、前記炭化室の側壁面における、コークスの押出方向に対する勾配に関わる勾配情報を導出する勾配情報導出ステップと、前記勾配情報導出ステップにより導出された勾配情報を用いて、コークスが押出時に受ける抵抗を指標化した抵抗指標を導出する指標化ステップとを有することを特徴とする。
【手続補正６】
【補正対象書類名】明細書
【補正対象項目名】００１１
【補正方法】変更
【補正の内容】
【００１１】
本発明のコンピュータプログラムは、製造したコークスを押出機で排出して操業するコークス炉の炭化室の側壁面の状態を評価するための処理をコンピュータに実行させるためのコンピュータプログラムであって、前記炭化室の側壁面の画像信号に基づいて、前記炭化室の側壁面に生じている凹凸に関わる凹凸情報を導出する凹凸情報導出ステップと、前記凹凸情報導出ステップにより導出された凹凸情報に基づいて、前記炭化室の側壁面における、コークスの押出方向に対する勾配に関わる勾配情報を導出する勾配情報導出ステップと、前記勾配情報導出ステップにより導出された勾配情報を用いて、コークスが押出時に受ける抵抗を指標化した抵抗指標を導出する指標化ステップとをコンピュータに実行させることを特徴とする。
【手続補正７】
【補正対象書類名】明細書
【補正対象項目名】００２０
【補正方法】変更
【補正の内容】
【００２０】
垂直柱１の前面には、透光板３ａ〜３ｄが、所定の間隔で高さ方向に設けられている。垂直柱１の内部に設けられた４つのリニアイメージカメラ５は、夫々透光板３ａ〜３ｄを通して、ミラー管２に映し出された画像を撮影する。すなわち、リニアイメージカメラ５は、炭化室１１の右側・左側の炉壁１４Ｒ、１４Ｌの画像を撮影する（図３及び図４を参照）。
【手続補正８】
【補正対象書類名】明細書
【補正対象項目名】００３５
【補正方法】変更
【補正の内容】
【００３５】
ここで、炭化室１１の炉壁１４に凹部が存在していると、炉壁１４が平らな場合に比べて、鏡面９Ｌと炉壁１４との間の距離が増大する。すると、図５（ｂ）に示すように、リニアイメージカメラ５ａの画面上では、レーザスポット５２の像５２´が上方向にシフトする。レーザ光がリニアイメージカメラ５ａの下方から斜めに投光されているためである。一方、炭化室１１の炉壁１４に凸部が存在していると、炉壁１４が平らな場合に比べて、鏡面９Ｌと炉壁１４との間の距離が増大する。したがって、図５（ｃ）に示すように、リニアイメージカメラ５ａの画面上では、レーザスポット５２の像５２´が下方向にシフトする。レーザスポット５２の像５２´が上下にシフトする量は、凹凸量とレーザ投光角度とにより決まる。各レーザの投光角度は固定されているので、像５２´のシフト量から炉壁１４の凹凸量を知ることができる。
【手続補正９】
【補正対象書類名】明細書
【補正対象項目名】００３８
【補正方法】変更
【補正の内容】
【００３８】
次に、壁面観察装置２００の使用態様の一例を説明する。各リニアイメージカメラ５の指向方向を、右鏡面９Ｒに設定して、炭化室１１内に水冷ランスを前進させる。水冷ランスが４０ｍｍ移動する度に発せられる移動同期パルスが１パルス発生すると、壁面観察装置２００に設けられたＡ／Ｄ変換器は、各リニアイメージカメラ５の１ライン分の画像信号をＡ／Ｄ変換する。そして、壁面観察装置２００に設けられたＣＰＵは、Ａ／Ｄ変換された画像信号を、どのリニアイメージカメラ５で撮影されたものであるのかを区別できる状態で、ＲＡＭにより構成される右壁面用メモリ領域に書き込む。
【手続補正１０】
【補正対象書類名】明細書
【補正対象項目名】００３９
【補正方法】変更
【補正の内容】
【００３９】
炭化室１１の奥行方向の略全長に渡って、以上の処理を終えると、各リニアイメージカメラ５の指向方向を、左鏡面９Ｌに設定して、水冷ランスを後退させながら、同様に計測を行う。
尚、壁面観察装置２００については、例えば、国際公開第００／５５５７５パンフレットや、特開２００５−２４９６９８号公報等に記載されている。
【手続補正１１】
【補正対象書類名】明細書
【補正対象項目名】００４５
【補正方法】変更
【補正の内容】
【００４５】
そして、本実施形態の炉壁３次元プロフィールデータ導出部３０１は、以上のようにして求めた炭化室１１の右側及び左側の炉壁１４Ｒ、１４Ｌ全体に亘る凹凸量を、互いに対向する領域同士で合算し、合算した凹凸量（ｚ（１，１）〜ｚ（ｐ，ｑ））を炉壁３次元プロフィールデータ７０１として領域指定部３０２に出力する。なお、合算した凹凸量の符号は、炉壁１４が凹凸のない健全な状態から広がる向きが負、逆に狭まる向きが正となる。このようにするのは、コークス５１が炭化室１１から押し出される際には、左右のどちらの炉壁が変形していても、同じ引っかかり抵抗が発生するので、左右別々に計算を行う場合よりも、その後の計算が簡便になるからである。
以上のように本実施形態では、凹凸情報として、凹凸行列データの一例である炉壁３次元プロフィールデータ７０１が用いられ、炉壁３次元プロフィールデータ導出部３０１を用いて凹凸情報導出手段が実現される。
【手続補正１２】
【補正対象書類名】明細書
【補正対象項目名】００４９
【補正方法】変更
【補正の内容】
【００４９】
局所抵抗指数導出決定部３０４は、領域指定部３０２で指定された領域について、局所抵抗指数ｋi,jを導出するか否かを決定する。具体的に局所抵抗指数導出決定部３０４は、段差算出部３０３で導出された段差ΔＺが、定数δより大きい場合に、局所抵抗指数ｋi,jを導出すると決定する。ここで、局所抵抗指数ｋi,jとは、押出ラム２０によって押し出されているコークス１５が、領域指定部３０２で指定された領域の登り勾配から受ける抵抗を指標化したものである。このように本実施形態では、局所抵抗指標として局所抵抗指数ｋi,jが用いられる。
【手続補正１３】
【補正対象書類名】明細書
【補正対象項目名】００５０
【補正方法】変更
【補正の内容】
【００５０】
一方、段差算出部３０３で今回導出された段差ΔＺがδ（δ＞０）以下の場合には、局所抵抗指数ｋi,jを０（ゼロ）とする。
段差算出部３０３で今回導出された段差ΔＺが０（ゼロ）以下である場合には、領域指定部３０２で指定された領域が、コークス１５の押出方向に対して下り勾配を有している。このような場合、押出ラム２０によって押し出されているコークス１５が、領域指定部３０２で指定された領域の勾配によって受ける抵抗は発生しない。したがって、段差算出部３０３で今回導出された段差ΔＺが０（ゼロ）未満である場合には、その抵抗を指標化した局所抵抗指数ｋi,jを０（ゼロ）とする。また、段差算出部３０３で今回導出された段差ΔＺが、正の値を示していたとしても、その値が小さければ、押出ラム２０によって押し出されているコークス１５が、領域指定部３０２で指定された領域の勾配によって受ける抵抗は無視できる。なぜならば、コークス１５と炉壁１４の間には焼き減りと呼ばれる１〜２ｍｍ程度の隙間が生じているからである。したがって、本実施形態では、段差算出部３０３で今回導出された段差ΔＺが、正の値を示していたとしても、その値が小さければ局所抵抗指数ｋi,jを０（ゼロ）とする。尚、定数δは焼き減り量に対応させて、例えば、１ｍｍ以上２ｍｍ以下の任意の値とすることができる。
【手続補正１４】
【補正対象書類名】明細書
【補正対象項目名】００５６
【補正方法】変更
【補正の内容】
【００５６】
εは、炭化室１１の奥行方向（ＰＳ側からＣＳ側に向かう方向）の位置に値が依存する重み係数であり、（１）式の右辺の１つめのかっこ（１＋（ε×ｄ）／Ｄ0）が奥行方向の位置に対応する重みを表す。また、γは、炭化室１１の炉壁１４の高さ方向の位置に値が依存する重み係数であり、（１）式の右辺の２つめのかっこ（１＋[γ（Ｈ0−ｈ）／Ｈ0]）が高さ方向の位置に対する重みを表す。図１０は、重み係数ε、γを説明する図である。具体的に図１０（ａ）は、炭化室１１の炉壁１４を示す図であり、図１０（ｂ）は、重み係数εと、炭化室１１の奥行方向における位置ｄとの関係の一例を示す図であり、図１０（ｃ）は、重み係数γと、炭化室１１の高さ方向における位置ｈとの関係の一例を示す図である。
【手続補正１５】
【補正対象書類名】明細書
【補正対象項目名】００５７
【補正方法】変更
【補正の内容】
【００５７】
図１０（ｂ）に示すように、重み係数εを使って表現される奥行方向の位置に対する重みは、ＰＳ側（押出元）から遠ざかる程大きくなる。このようにするのは、押出抵抗となる凹凸がＰＳ側から遠ざかる位置である程、押出ラム２０の押出ラムからの距離が長くなり、その位置にあるコークス１５が押出ラム２０から受ける力が伝播ロスにより小さくなるからである。すなわち、炉壁１４やコークス１５の状態が同じであっても、ＰＳ側から遠ざかる位置にあるコークス１５である程、余計に押出負荷が必要になる。本実施形態では、炭化室１１の奥行方向における位置ｄの増加に伴い、重み係数εが直線的に増加するように、重み係数εを定義している。
【手続補正１６】
【補正対象書類名】明細書
【補正対象項目名】００５８
【補正方法】変更
【補正の内容】
【００５８】
また、図１０（ｃ）に示すように、重み係数γを使って表現される高さ方向の位置に対する重みは、高さが低い位置である程大きくなる。このようにするのは、高さが低い位置にあるコークス１５程、その上にあるコークス１５の自重による拘束が発生し、凹凸部の段差を通過するためのコークス１５の変形が起こりにくくなるからである。すなわち、炉壁１４やコークス１５の状態が同じであっても、低い位置にあるコークス１５である程、余計に押出負荷が必要になるからである。本実施形態では、炭化室１１の高さ方向の位置ｈの増加に伴い、重み係数γが直線的に減少するように、重み係数γを定義している。
【手続補正１７】
【補正対象書類名】明細書
【補正対象項目名】００６１
【補正方法】変更
【補正の内容】
【００６１】
局所抵抗指数導出部３０５は、以上のようにして導出した局所抵抗指数ｋi,jを、コークス炉の壁面評価装置３００に設けられたＲＡＭによって構成される局所抵抗指数記憶部３０６に一時的に記憶する。
以上のように本実施形態では、第１の重み係数として重み係数εが用いられ、第２の重み係数として重み係数γが用いられる。
【手続補正１８】
【補正対象書類名】明細書
【補正対象項目名】００６７
【補正方法】変更
【補正の内容】
【００６７】
図１１（ｃ）において、例えば、炉壁３次元プロフィールデータ７０１ａの領域（１２，３）、（１３，３）、（１４，３）における局所抵抗指数ｋi,jは、夫々「３０」、「５１」、「３４」である。このように、コークス１５を炭化室１１から押し出す方向に対して、炭化室１１の炉壁の勾配が、定数δで定まる勾配よりも急な登り勾配であると、局所抵抗指数ｋi,jが発生することが分かる。
【手続補正１９】
【補正対象書類名】明細書
【補正対象項目名】００７４
【補正方法】変更
【補正の内容】
【００７４】
次に、ステップＳ４において、段差算出部３０３は、炉壁３次元プロフィールデータ７０１に基づいて、領域（ｉ，ｊ）における段差ΔＺを求める（図９を参照）。
次に、ステップＳ５において、局所抵抗指数導出決定部３０４は、ステップＳ４で求められた段差ΔＺが定数δよりも大きいか否かを判定する。この判定の結果、ステップＳ４で求められた段差ΔＺが定数δよりも大きい場合には、後述するステップＳ１４に進む。
【手続補正２０】
【補正対象書類名】明細書
【補正対象項目名】００７５
【補正方法】変更
【補正の内容】
【００７５】
一方、ステップＳ４で求められた段差ΔＺが定数δ以下である場合には、ステップＳ６に進む。ステップＳ６に進むと、局所抵抗指数導出決定部３０４は、領域（ｉ，ｊ）における局所抵抗指数ｋi,jを０（ゼロ）に設定する。
次に、ステップＳ７において、局所抵抗指数導出部３０５は、ステップＳ６で設定された局所抵抗指数ｋi,jを局所抵抗指数記憶部３０６に一時的に記憶する。
次に、ステップＳ８において、局所抵抗指数導出終了判定部３０７は、変数ｉが、規定値ｐか否かを判定する。規定値ｐは、炉壁３次元プロフィールデータ７０１の横方向（ＰＳ側からＣＳ側に向かう方向）の数によって定まる値である。この判定の結果、変数ｉが、規定値ｐでない場合には、ステップＳ９に進み、領域指定部３０２は、変数ｉに「１」を加算する。そして、ステップＳ４移行の処理を再度行う。
【手続補正２１】
【補正対象書類名】明細書
【補正対象項目名】００７８
【補正方法】変更
【補正の内容】
【００７８】
ステップＳ５において、ステップＳ４で求められた段差ΔＺが定数δよりも大きいと判定された場合には、ステップＳ１４に進む。ステップＳ１４に進むと、局所抵抗指数導出部３０５は、領域（ｉ−１，ｊ）の局所抵抗指数ｋi-1,jを局所抵抗指数記憶部
３０６から読み出し、読み出した局所抵抗指数ｋi-1,jが０（ゼロ）でないか否かを判定する。この判定の結果、局所抵抗指数ｋi-1,jが０（ゼロ）である場合には、後述するステップＳ１６に進む。
【手続補正２２】
【補正対象書類名】明細書
【補正対象項目名】００７９
【補正方法】変更
【補正の内容】
【００７９】
一方、局所抵抗指数ｋi-1,jが０（ゼロ）でない場合には、ステップＳ１５に進む。ステップＳ１５に進むと、局所抵抗指数導出部３０５は、定数α、βと、重み係数ε、γと、炭化室１１の奥行方向の長さＤ0と、炭化室の高さＨ0と、領域（ｉ，ｊ）により定まる位置ｄ、ｈとを読み出す。そして、局所抵抗指数導出部３０５は、読み出したパラメータと、ステップＳ１４で読み出した局所抵抗指数ｋi-1,jとを（１）式に代入して、局所抵抗指数ｋi,jを算出する。そして、前述したステップＳ７に進み、局所抵抗指数導出部３０５は、ステップＳ１５で算出した局所抵抗指数ｋi,jを一時的に記憶する。
【手続補正２３】
【補正対象書類名】明細書
【補正対象項目名】００８０
【補正方法】変更
【補正の内容】
【００８０】
ステップＳ１４において、局所抵抗指数ｋi-1,jが０（ゼロ）であると判定された場合には、ステップＳ１６に進む。ステップＳ１６に進むと、局所抵抗指数導出部３０５は、ステップＳ１５と同様に、定数α、βと、重み係数ε、γと、炭化室１１の奥行方向の長さＤ0と、炭化室の高さＨ0と、領域（ｉ，ｊ）にり定まる位置ｄ、ｈとを読み出す。そして、局所抵抗指数導出部３０５は、読み出したパラメータを（１）式に代入すると共に、局所抵抗指数ｋi-1,jとして０（ゼロ）を（１）式に代入して、局所抵抗指数ｋi,jを算出する。そして、前述したステップＳ７に進み、局所抵抗指数導出部３０５は、ステップＳ１６で算出した局所抵抗指数ｋi,jを一時的に記憶する。尚、ステップＳ１６に進んだ場合、局所抵抗指数ｋi-1,jは０（ゼロ）であり、（１）式の右辺の第２項は０（ゼロ）となるので、このステップＳ１６では、定数βを読み出さないようにしてもよい。
【手続補正２４】
【補正対象書類名】明細書
【補正対象項目名】００８１
【補正方法】変更
【補正の内容】
【００８１】
図１５は、以上のようにして求めた抵抗指数ｋと、押出負荷との関係を示した図である。コークス１５の乾留時間の不足といった押出負荷を変動させる他の要因が極力ない炭化室１１を選んで、炉壁３次元プロフィールデータ７０１を導出し、その炉壁３次元プロフィールデータ７０１を用いて前述したようにして抵抗指数ｋを算出する。一方、その炭化室１１から実際にコークス１５を取り出した際に生じた押出負荷を、押出ラム２０のモータ軸に取り付けたトルク計の計測値に基づいて求める。具体的には、トルク計測値と押出ラム駆動機構の減速比から押出負荷（力）を計算する。ここでは、コークス１５を押し出す過程で押出負荷が最大値となるところを単に押出負荷と言う。そして、このようにして得られた抵抗指数ｋと押出負荷とに対応する位置をプロットする。以上のような処理を多数の炭化室１１に対して行った結果、図１５に示すように多数のプロットが得られる。
【手続補正２５】
【補正対象書類名】明細書
【補正対象項目名】００８４
【補正方法】変更
【補正の内容】
【００８４】
従来から、炭化室１１の炉壁１４の状態と押出負荷との関係が調べられてきたが、その方法としては、炉壁１４に発生している凹凸の面積を炉壁１４の状態を表す指標とするといった単純なものであった。例えば、図１７は、炭化室１１の炉壁１４に生じている陥没もしくは張り出しの凹凸量が２０ｍｍ以上の領域が、炉壁１４全体に占める割合と、押出負荷との関係を示した図である。図１７の横軸の凹凸面積割合とは、陥没もしくは張り出しの凹凸量が２０ｍｍ以上ある領域の面積の合計値を、炭化室１１の炉壁１４全体の面積で割った値に、１００を乗じた値としている。図１７に示すように、面積割合と押出負荷との相関は、図１５及び図１６に示した抵抗指数ｋと押出負荷との相関よりも明らかに劣る。本願発明者らは、炉壁凹凸がコークス移動時の抵抗となる物理的現象を鋭意検討し、抵抗量すなわち押出負荷はコークスが当る凹凸部の上り勾配の形状や位置に依存するとしたモデルに基づき抵抗指数という指標を定義することを考案した。この結果、今回初めて炭化室１１の炉壁１４の状態と、押出負荷との間に明瞭な相関が得られるようになった。
【手続補正２６】
【補正対象書類名】明細書
【補正対象項目名】００９５
【補正方法】変更
【補正の内容】
【００９５】
また、壁面観察装置２００が行う画像処理の一部又は全部を、コークス炉の壁面評価装置３００で行うようにしてもよい。
また、本実施形態では、定数δが０（ゼロ）よりも大きい値を有するようにしたが、定数δを０（ゼロ）にしてもよい。
また、本実施形態では、炭化室１１の奥行方向における画像信号を得る間隔を、炭化室１１の奥行方向における長さが最小値であるコークス塊１５Ｃの表面性状に基づいて決定するようにしたが、必ずしもこのようにする必要はない。例えば、炭化室１１の奥行方向における長さが、全コークス塊の平均値（又は代表値）であるコークス塊の表面性状に基づいて、炭化室１１の奥行方向における画像信号を得る間隔を決定するようにしてもよい。